(57)【特許請求の範囲】
【請求項１】
錠箱内で水平方向に移動可能に案内されたデッドボルトと、一端を錠箱内に枢支され、デッドボルトと共にストライクの係入孔に共に係入できるように併設された鎌片とを有するものにおいて、上記デッドボルトは、錠箱内に支承されシリンダ錠又はサムターンによって回動操作されるデッドカムの作動に伴って、その先端が錠箱のフロント板から突出入され、また、デッドボルトと鎌片との間はデッドボルトに突設した作動ピンと鎌片に設けた長孔の組でなる連係手段で連係されており、一方、デッドカムのデッドボルトに近接した部分には突片を設け、他方、中央部にループを有するねじりばねを、一端をデッドボルトに係止させると共に、他端側をデッドカムの突片に当接させ、かつ、ループを前記の作動ピンを兼ねる係止ピンに巻装するようにし、以て、デッドカムの定位手段をデッドボルトに組込んで錠箱内の空間を有効利用できるようにしたことを特徴とする錠装置。
【発明の詳細な説明】
【０００１】
【発明の属する技術分野】
この発明は扉の錠装置に関する。更に具体的には、不正解錠をより確実に阻止するためデッドボルトに鎌片を併設したタイプの錠装置の改良に関する。
【０００２】
【従来の技術】
従来のこの種の錠装置としては、水平方向に案内されるようにしたデッドボルトと錠箱内に枢支した鎌片とをストライクの係入孔に共に係入できるように併設し、前記デッドボルトは、錠箱内に支承されシリンダ錠又はサムターンによって回動操作されるデッドカムの作動に伴ってその先端が錠箱のフロント板から突出入されるようにしてあり、デッドボルトと鎌片との間はデッドボルトに突設した作動ピンと鎌片に設けた長孔の組で成る連係手段で連係させたものを挙げることができる。
【０００３】
そして、このようなデッドボルトと鎌片とを併設したタイプの錠装置においては、デッドカムの定位手段としてクリックばねや思案ばねを設ける場合、デッドカムと錠箱との間に設けられるそれらのばねは、デッドボルトと重なるような位置関係において揺動する鎌片の邪魔にならないように、カム部から十分に離れた位置に設けるのが普通であった。
【０００４】
そのため、前述のような従来の錠装置にあっては、錠箱内の限られた空間を有効利用するについて支障を来たしたり、錠箱を大型のものとしなければならないなどの問題があった。
【０００５】
【発明が解決しようとする課題】
この発明の錠装置は、デッドカムの定位手段をデッドボルトに組み込み全体を小型化し、錠箱内の空間を有効利用できるようにすることを目的として提案されたものである。
【０００６】
【課題を解決するための手段】
上記の目的を達成するため、この発明の錠装置は、錠箱内で水平方向に移動可能に案内されたデッドボルトと、一端を錠箱内に枢支され、デッドボルトと共にストライクの係入孔に共に係入できるように併設された鎌片とを有するものにおいて、上記デッドボルトは、錠箱内に支承されシリンダ錠又はサムターンによって回動操作されるデッドカムの作動に伴って、その先端が錠箱のフロント板から突出入され、また、デッドボルトと鎌片との間はデッドボルトに突設した作動ピンと鎌片に設けた長孔の組でなる連係手段で連係されており、一方、デッドカムのデッドボルトに近接した部分には突片を設け、他方、中央部にループを有するねじりばねを、一端をデッドボルトに係止させると共に、他端側をデッドカムの突片に当接させ、かつ、ループを前記の作動ピンを兼ねる係止ピンに巻装するようにし、以て、デッドカムの定位手段をデッドボルトに組込んで錠箱内の空間を有効利用できるようにしたことを特徴とする。
【０００７】
【発明の実施の形態】
以下、図面に示す実施例に基いてこの発明について説明する。
図１及び図２において、符号１０は扉、２０はその扉１０の開放側端部が対向する扉枠又は対をなす他の扉をそれぞれ示している。
【０００８】
符号１は扉１０の開放側端部に面付け又は彫り込みによりねじ９１等で固設される錠箱で、錠箱１内の上方部分にはこの発明の主要部である本締り機構３０が設けられ、また、下方部分には仮締り機構４０が設けられている。
【０００９】
仮締り機構４０は、周知のように、ラッチボルト４０ａ、ラッチばね４０ｂ、ハンドル軸（図示しない）が連係されるリトラクタ４０ｃ及び戻しばね４０ｄ等から成る。但し、この仮締り機構４０は本発明にとって必須ではない。つまり、この発明に係る錠装置は本締り機構４０のみとすることもできる。
【００１０】
この発明の錠装置の主要部である本締り機構３０について説明すると、錠箱１内には、扉枠又は対をなす他の扉２０にねじ９２等で固設されたストライク２の共通の係入孔２１に対し、突出時に共に係入される２つの錠止部材であるデッドボルト３及び鎌片４が併設されている。
【００１１】
デッドボルト３は、１枚の板材を折り曲げて横断面がコ字状に形成されており（図３参照）、錠箱１内で任意の案内手段により水平方向に直線的に案内されるようにしてある。
【００１２】
図示例のデッドボルト３は、突片と長孔の組でなる案内手段３１、錠箱１における突出案内部３２及び錠箱１に固定された案内片３３等により案内される。
【００１３】
鎌片４は２枚の板材を重合させて形成してあり、その一端は錠箱１内に枢軸４１で枢支してあり、他端は該鎌片４の前方への揺動により錠箱１の開口１１から突出しストライク２の係入孔２１に同時に突出するデッドボルト３と共に係入するようにしてある。
【００１４】
鎌片４の大部分は横断面コ字状のデッドボルト３の空間部３４に嵌まり合っており、デッドボルト３と鎌片４との間はデッドボルト３に突設した作動ピン５１と鎌片４に設けた長孔５２の組で成る連係手段５で連係してある。
【００１５】
符号６は錠箱１内の後方部に支承されたデッドカムで、その先端のカム部６１はデッドボルト３のＶ字状をなす従動切欠３５に係合させてある。そして、デッドカム６は錠箱１の側板に突設した前後で対をなすストッパ６２、６２の間を揺動する。
【００１６】
更に、デッドカム６は、錠箱１に装着されたシリンダ錠の内筒及びサムターン（いずれも図示しない）に連係させてあり、シリンダ錠に差し込んだ鍵又はサムターンを右回り又は左回りに回動させると、デッドカム６は矢印Ｐのように揺動する。
【００１７】
そして、前記デッドカム６の揺動に伴って、デッドボルト３は錠箱１に対し矢印Ｑのように直線的に摺動変位し、その先端を錠箱１のフロント板から突出入させる。
【００１８】
また同時に、デッドボルト３に連係手段５で連係されている錠片４は枢軸４１を中心として矢印Ｒのように揺動変位し、その他端（前端）を錠箱１のフロント板から同様に突出入させる。
【００１９】
この発明においては、デッドカム６におけるデッドボルト３に近接した部分に一体に又は別体として例えば先端を半円状とした突片６３を設ける。
【００２０】
図示例のデッドカム６においては、図５に明示するように、半径方向に延出させたカム部６１に対し突片６３が段をなすようにして一体に形成してある。
【００２１】
そしてまた、この錠装置においては、前記のデッドカム６上の突片６３に対応させるようにして、ねじりコイルばねのような中央部にループを有するねじりばね７が備えてある。
【００２２】
ねじりばね７は、一端をデッドボルト３に形成した係止溝３６等に係止させると共に、他端側をデッドカム６の突片６３の先端部に当接させ、かつ、ループを上述の連係手段５における作動ピンを兼ねる係止ピン５１に嵌挿させることにより、デッドカム６を施錠位置又は解錠位置においてクリック的に定位させる定位手段として装着してある。
【００２３】
【発明の効果】
以上に説明したこの発明の錠装置によれば、デッドボルトと鎌片とが併設されているタイプであるに関わらず、デッドカムの施錠位置及び解錠位置をクリック的に定める定位手段としてのねじりばねが、その一端をデッドボルトに係止させると共に、他端側をデッドカムの突片に当接させ、かつ、中央のループを作動ピンを兼ねる係止ピンに嵌め込むことにより、デッドボルトにコンパクトに添設させる形態をなして装着されるので、デッドカムの定位手段の小型化に伴って錠箱内の限られた空間が有効に利用されることになり、錠箱の大型化を避けることができるという効果を奏する。
【図面の簡単な説明】
【図１】この発明の錠装置の実施例を施錠状態において一方の側板である蓋板を外して示す側面図。
【図２】その正面図。
【図３】図１の錠装置から取り外したデッドボルトを示す図で、（Ａ）は平面図、（Ｂ）は側面図，（Ｃ）は背面図である。
【図４】図１の錠装置から取り外した鎌片を示す図で、（Ａ）は側面図、（Ｂ）は背面図である。
【図５】図１の錠装置から取り外したデッドカムを示す図で、（Ａ）は側面図、（Ｂ）は背面図である。
【符号の説明】
１  錠箱
２  ストライク
３  デッドボルト
４  鎌片
５  連係手段
５１  作動ピンを兼ねるピン
５２  長孔
６  デッドカム
６３  突片
７  ねじりばね
【図１】
0004171089.tif 000002
【図２】
0004171089.tif 000003
【図３】
0004171089.tif 000004
【図４】
0004171089.tif 000005
【図５】
0004171089.tif 000006